(57)【特許請求の範囲】
【請求項１】
カラオケの参加者により選曲された楽曲を演奏するカラオケ装置であって、
前記参加者をカメラにより撮像した画像から、前記参加者の属性に関する分析情報を取得する分析情報取得手段と、
前記取得手段により取得された分析情報から、前記参加者に対するアンケートに含まれる質問事項の回答を抽出する抽出手段と、
前記抽出手段により得られた回答を前記質問事項に反映した態様で、前記参加者に対してアンケートを実施するアンケート手段と、
前記抽出手段により得られた回答と、前記アンケート手段よって実施されたアンケートに対する前記参加者の回答とを、当該アンケートの回答結果として取得する回答取得手段と、
を備えることを特徴とするカラオケ装置。
【請求項２】
請求項１に記載のカラオケ装置において、
前記アンケート手段は、前記アンケートに含まれる質問事項を前記参加者に提示して回答を求めるものであって、その質問事項のうち前記抽出手段により回答が得られた質問事項ついては、得られた回答を前記質問事項に対する回答の初期値として表記した状態で提示すること、
を特徴とするカラオケ装置。
【請求項３】
請求項１に記載のカラオケ装置において、
前記アンケート手段は、前記アンケートに含まれる質問事項を前記参加者に提示して回答を求めるものであって、その質問事項のうち前記抽出手段により回答が得られた質問事項については提示しないこと、
を特徴とするカラオケ装置。
【請求項４】
請求項１ないし請求項３の何れか１項に記載のカラオケ装置において、
前記参加者による歌唱内容を評価した評価結果から、その参加者が歌唱した楽曲に関するアンケートに含まれる質問事項の回答を抽出する第２の抽出手段と、
前記第２の抽出手段により得られた回答を前記質問事項に反映した態様で、前記参加者が歌唱した楽曲に関するアンケートを前記参加者に対して実施する第２のアンケート手段とを備え、
楽曲の演奏を行う前の段階において、前記分析情報取得手段と、前記抽出手段と、前記アンケート手段とによる第１のアンケートを実施し、
楽曲の演奏を行った後の段階で、前記第２の抽出手段と、前記第２のアンケート手段とによる第２のアンケートを実施し、
前記回答取得手段は、前記抽出手段により得られた回答と、前記アンケート手段よって得られた前記参加者の回答とを、前記第１のアンケートの回答結果として取得し、前記第２の抽出手段により得られた回答と、前記第２のアンケート手段によって得られた前記参加者の回答とを、前記第２のアンケートの回答結果として取得すること、
と特徴とするカラオケ装置。
【請求項５】
請求項４に記載のカラオケ装置において、
前記第２のアンケート手段は、前記参加者が歌唱した楽曲に関するアンケートに含まれる質問事項を前記参加者に提示して回答を求めるものであって、その質問事項のうち前記第２の抽出手段により回答が得られた質問事項ついては、得られた回答を前記質問事項に対する回答の初期値として表記した状態で提示すること、
を特徴とするカラオケ装置。
【請求項６】
請求項４に記載のカラオケ装置において、
前記第２のアンケート手段は、前記参加者が歌唱した楽曲に関するアンケートに含まれる質問事項を前記参加者に提示して回答を求めるものであって、その質問事項のうち前記第２の抽出手段により回答が得られた質問事項については提示しないこと、
を特徴とするカラオケ装置。
【請求項７】
カラオケの参加者をカメラにより撮像した画像から、前記参加者の属性に関する分析情報を取得する分析情報取得手順と、
前記取得手順において取得された分析情報から、前記参加者に対するアンケートに含まれる質問事項の回答を抽出する抽出手順と、
前記抽出手順において得られた回答を前記質問事項に反映した態様で、前記参加者に対してアンケートを実施するアンケート手順と、
前記抽出手順において得られた回答と、前記アンケート手順において実施されたアンケートに対する前記参加者の回答とを、当該アンケートの回答結果として取得する回答取得手順手段と、
をコンピュータに実行させることを特徴とするプログラム。
【発明の詳細な説明】
【技術分野】
【０００１】
本発明は、カラオケの参加者に対してアンケートを実施するカラオケ装置に関する。
【背景技術】
【０００２】
従来、カラオケの参加者に対してアンケートを実施するカラオケ装置が知られている（例えば、特許文献１参照）。特許文献１には、カラオケの楽曲の演奏と同期してカラオケ映像作品をディスプレイに表示し、演奏終了後にカラオケ映像作品を見た感想を問うアンケートを参加者に対して実施するカラオケ装置について記載されている。
【０００３】
アンケートによりカラオケの参加者から得られた情報を集積し、それを分析することにより、カラオケの参加者に対するサービスを向上するといったマーケティングに活用できると期待されている。
【先行技術文献】
【特許文献】
【０００４】
【特許文献１】特開２００５−９２２２８号公報
【発明の概要】
【発明が解決しようとする課題】
【０００５】
しかしながら、カラオケの参加者に対してアンケートを実施するという行為は、回答する参加者にとって少なからず手間がかかる。その煩わしさ故に、参加者がアンケートになかなか協力してくれないといった問題がある。
【０００６】
本発明は、上記問題を解決するためになされたものである。本発明の目的は、カラオケの参加者に対するアンケートにおいて、回答する参加者の手間を軽減するための技術を提供することである。
【課題を解決するための手段】
【０００７】
本発明のカラオケ装置は、カラオケの参加者により選曲された楽曲を演奏するものであって、分析情報取得手段と、抽出手段と、アンケート手段と、回答取得手段とを備える。分析情報取得手段は、参加者をカメラにより撮像した画像から、参加者の属性に関する分析情報を取得する。抽出手段は、取得手段により取得された分析情報から、参加者に対するアンケートに含まれる質問事項の回答を抽出する。アンケート手段は、抽出手段により得られた回答を質問事項に反映した態様で、参加者に対してアンケートを実施する。回答取得手段は、抽出手段により得られた回答と、アンケート手段よって実施されたアンケートに対する前記参加者の回答とを、当該アンケートの回答結果として取得する。
【０００８】
本発明によれば、参加者を撮像した画像から得られた分析情報に基づいて、アンケートの事前に質問事項の回答を抽出し、抽出された回答を前提として参加者に対してアンケートを実施することができる。このようにすることで、画像から予め抽出された回答については、参加者自らがアンケートにおいて回答を入力する手間を省くことができる。これにより、参加者がアンケートに回答する際の煩わしさを低減できるので、参加者が積極的にアンケートに協力してくれることが期待できる。
【０００９】
なお、抽出された回答を前提とするアンケートの実施方法について、請求項２に記載のようにすることが考えられる。すなわち、アンケート手段は、アンケートに含まれる質問事項を参加者に提示して回答を求めるものであって、その質問事項のうち抽出手段により回答が得られた質問事項ついては、得られた回答を質問事項に対する回答の初期値として表記した状態で参加者に提示する。このようにすることで、予め回答が抽出された質問事項については、参加者自らがアンケートにおいて回答を入力する手間を省きつつ、抽出された回答の内容を参加者が確認することができる。
【００１０】
あるいは、抽出された回答を前提とするアンケートの実施方法について、請求項３のようにしてもよい。すなわち、アンケート手段は、アンケートに含まれる質問事項を参加者に提示して回答を求めるものであって、その質問事項のうち抽出手段により回答が得られた質問事項については、参加者に提示しない。このように、予め回答が抽出された質問事項については参加者に提示しないようにすることで、参加者がアンケートに回答する際の煩わしさを大幅に低減できる。
【００１１】
請求項４に記載のカラオケ装置は、次の特徴を有する。カラオケ装置は、第２の抽出手段と、第２のアンケート手段とを備える。第２の抽出手段は、参加者による歌唱内容を評価した評価結果から、その参加者が歌唱した楽曲に関するアンケートに含まれる質問事項の回答を抽出する。第２のアンケート手段は、第２の抽出手段により得られた回答を質問事項に反映した態様で、参加者が歌唱した楽曲に関するアンケートを参加者に対して実施する。
【００１２】
このカラオケ装置は、楽曲の演奏を行う前の段階において、分析情報取得手段と、抽出手段と、アンケート手段とによる第１のアンケートを実施する。さらに、楽曲の演奏を行った後の段階で、第２の抽出手段と、第２のアンケート手段とによる第２のアンケートを実施する。そして、回答取得手段は、抽出手段により得られた回答と、アンケート手段よって得られた参加者の回答とを、第１のアンケートの回答結果として取得する。また、第２の抽出手段により得られた回答と、第２のアンケート手段によって得られた参加者の回答とを、第２のアンケートの回答結果として取得する。
【００１３】
このような構成によれば、演奏前における第１のアンケートでは、参加者の画像から取得された分析情報から抽出された回答を踏まえた上で、参加者に対してアンケートを実施できる。そして、演奏後における第２のアンケートでは、参加者の歌唱の評価結果から抽出された回答を踏まえた上で、参加者に対してアンケートを実施できる。このようにすることで、演奏前、演奏後の複数回にわたるアンケートにおいて、参加者自らがアンケートにおいて回答を入力する手間を省くことができ、カラオケサービスに関するマーケティングに有用な情報を効率よく収集できる。
【００１４】
なお、第２のアンケートの実施方法について、請求項５に記載のようにすることが考えられる。すなわち、第２のアンケート手段は、参加者が歌唱した楽曲に関するアンケートに含まれる質問事項を参加者に提示して回答を求めるものであって、その質問事項のうち第２の抽出手段により回答が得られた質問事項ついては、得られた回答を質問事項に対する回答の初期値として表記した状態で参加者に提示する。このようにすることで、歌唱の評価結果から回答が抽出された質問事項については、参加者自らが第２のアンケートにおいて回答を入力する手間を省きつつ、抽出された回答の内容を参加者が確認することができる。
【００１５】
あるいは、第２のアンケートの実施方法について、請求項６のように構成してもよい。すなわち、第２のアンケート手段は、参加者が歌唱した楽曲に関するアンケートに含まれる質問事項を参加者に提示して回答を求めるものであって、その質問事項のうち第２の抽出手段により回答が得られた質問事項については、参加者に提示しない。このように、歌唱の評価結果から回答が抽出された質問事項については参加者に提示しないようにすることで、参加者が第２のアンケートに回答する際の煩わしさを大幅に低減できる。
【００１６】
なお、本発明は、請求項７に記載のように、コンピュータにおいて実行されるプログラム、あるいは当該プログラムを記憶する記憶媒体として実現することもできる。
【図面の簡単な説明】
【００１７】
【図１】カラオケシステムの構成を表すブロック図。
【図２】カラオケ装置が実行する処理の手順を表すブロック図。
【図３】管理サーバが実行する処理の手順を表すブロック図。
【図４】参加者に関するアンケートの具体的。
【図５】歌唱後の楽曲に関するアンケートの具体例。
【発明を実施するための形態】
【００１８】
以下、本発明の実施形態を図面に基づいて説明する。なお、本発明は下記の実施形態に限定されるものではなく様々な態様にて実施することが可能である。
［カラオケシステムの構成の説明］
図１に例示されるとおり、カラオケシステム１は、カラオケ店舗内のＬＡＮ５０に接続されたカラオケ装置１０と、無線ＬＡＮアクセスポイント４０を介してＬＡＮ５０に通信接続するリモコン端末２０と、インターネット１００を介してカラオケ店舗内のＬＡＮ５０と通信接続する管理サーバ３０とを有する。なお、図１では、カラオケ装置１０、リモコン端末２０を１つずつ図示しているが、それより多くのカラオケ装置１０やリモコン端末２０が用いられてもよい。
【００１９】
カラオケ装置１０は、制御部１１、通信インタフェース部１２、記憶部１３、操作部１４、音声入出力部１５を備える。また、カラオケ装置１０には、ディスプレイ１６、マイク１７、スピーカ１８、カメラ１９等の周辺機器が接続されている。このカラオケ装置１０は、カラオケの歌唱を行う参加者からリクエストされたカラオケ楽曲を演奏する機能や、参加者の歌唱を所定の評価基準に基づいて評価し、その採点結果を算出する機能を有する。また、カラオケ装置１０は、参加者に対するアンケートを実施する機能を有する。
【００２０】
制御部１１は、ＣＰＵ、ＲＡＭ、ＲＯＭ等（何れも不図示）を備え、各種プログラムに従って動作することにより、カラオケ装置１０を総合的に制御する。通信インタフェース部１２は、カラオケ装置１０をＬＡＮ５０に接続し、ＬＡＮ５０及びインターネット１００を介した通信を制御する通信装置である。カラオケ装置１０は、通信インタフェース部１２を介して、リモコン端末２０や管理サーバ３０との間で通信を行う。
【００２１】
記憶部１３は、例えばハードディスクドライブや半導体メモリ等からなる記憶装置である。記憶部１３には、カラオケ楽曲を演奏するための楽曲データを多数収録したカラオケデータベースや、カラオケ装置１０の動作を制御するためのプログラムが記憶される。操作部１４は、利用者からの操作を入力するための入力装置であり、カラオケ装置１０本体に備えられたタッチパネルやキースイッチ等からなる。
【００２２】
音声入出力部１５は、音声の入出力を制御するデバイスである。音声入出力部１５の入力側にはマイク１７が接続される。これにより音声入出力部１５は、利用者の歌唱音を取得する。音声入出力部１５の出力側にはスピーカ１８が接続される。これにより音声入出力部１５は、楽曲の再生音及び利用者の歌唱音の音源信号をスピーカ１８に出力する。スピーカ１８は、音声入出力部１５から出力される音源信号を音に換えて出力する。
【００２３】
ディスプレイ１６は、制御部１１から送られてくる映像データに基づいて映像の表示を行う表示装置である。カメラ１９は、カラオケ装置１０が設置される場所（例えば、カラオケルーム）に設置される撮像装置であり、カラオケ装置１０を利用してカラオケを行う参加者の居る場所全体の様子を撮像し、撮像した画像データを制御部１１に出力する。なお、カラオケ装置１０のその他の機能や構成については公知技術に従っているので、ここでは詳細な説明を省略する。
【００２４】
リモコン端末２０は、カラオケ装置１０を遠隔操作するための可搬形の無線通信機器である。リモコン端末２０は、情報を表示するためのディスプレイや、利用者からの入力操作を受付けるタッチパネルやキースイッチ当の操作部、無線ＬＡＮ通信部等（何れも不図示）を備える。リモコン端末２０は、カラオケ装置１０に演奏させる楽曲のリクエストを行うための操作等の各種操作を利用者から受付け、その操作情報を操作対象として対応付けられたカラオケ装置１０に送信する機能を備える。
【００２５】
このリモコン端末２０を用いることで、カラオケサービスに関する情報の閲覧やカラオケ装置１０に演奏させる楽曲をリクエストするための選曲操作を行うことができるようになっている。なお、リモコン端末２０のその他の構成や機能については公知技術に従っているので、ここでの詳細な説明は省略する。
【００２６】
管理サーバ３０は、カラオケ装置１０からアンケート情報を収集し、収集したデータに基づく情報提供を行うサーバ装置である。この管理サーバ３０は、アンケートデータベース３１を有する。このアンケートデータベース３１には、カラオケ装置１０からアップロードされたアンケート情報が蓄積されている。このアンケート情報には、カラオケ装置１０が実施したアンケートに対する参加者の回答を表す情報が含まれている。
【００２７】
カラオケ装置１０は、カラオケの参加者に対して行ったアンケートにおいて取得した回答を含むアンケート情報を管理サーバ３０にアップロードする。管理サーバ３０は、カラオケ装置１０から受信したアンケート情報を、質問事項ごとに集計してアンケートデータベース３１に登録する。これにより、多くのユーザによるアンケートの回答が管理サーバ３０に蓄積される。
【００２８】
［カラオケ装置処理の説明］
カラオケ装置１０の制御部１１が実行する処理の手順について、図２のフローチャートを参照しながら説明する。この処理は、カラオケの参加者がカラオケ装置１０の利用を開始したときに開始され、カラオケ装置１０の稼働中において所定の制御周期で繰返し実行される。
【００２９】
Ｓ１００では、制御部１１は、カメラ１９により撮像された撮像画像に対して画像認識処理を行い、撮像画像に写っている参加者の特徴を分析した分析情報を取得する。具体的には、制御部１１は、カメラ１９から入力された撮像画像の中から、周知の画像認識アルゴリズム（例えば、特開２０１０−３３４７４号公報、特開２０１０−２１８０６０号公報等を参照）によって人物を検出し、検出された人物の画像を分析してその人物の特徴を表す分析情報を得る。撮像画像から取得する分析情報としては、例えば、参加者の人数、性別、年齢層（大人／子供）等の特徴が挙げられる。
【００３０】
Ｓ１０２では、制御部１１は、カラオケの参加者に関するアンケートとして用意された複数の質問事項について、Ｓ１００で取得された分析情報のうち質問事項の回答に該当するものを抽出して、当該質問事項の回答の初期値として入力する。
【００３１】
Ｓ１０４では、制御部１１は、Ｓ１０２で入力された回答の初期値を前提として、カラオケの参加者に関するアンケートを実施する。ここでは、カラオケの参加者の属性（例えば、グループ構成や年齢層等）に関係する複数の質問事項を提示して、それらの質問事項に対する回答を求める。具体的には、制御部１１は、例えば、カラオケ装置１０に接続されたディスプレイ１６やリモコン端末２０にアンケートの質問事項を表示させる。そして、操作部１４やリモコン端末２０を介して、アンケートに対する回答の入力操作を受付ける。
【００３２】
カラオケの参加者に関するアンケートの具体例について、図４を参照しながら説明する。図４（ａ）に例示されるとおり、カラオケの参加者に関するアンケートとして、複数の質問事項Ｑ１，Ｑ２，Ｑ３…が用意されているものとする。それらの質問事項のうち、質問事項Ｑ１は、参加者のグループ構成を問うものである（誰と来ていますか？）。この質問事項Ｑ１には、回答の候補として「１人」、「男女グループ」、「男性グループ」、「女性グループ」といった選択肢が設定されている。
【００３３】
ここで、カメラ１９による撮像画像から、男女複数人の参加者がいることが分析情報として得られた状況を想定する。この場合、制御部１１は、この取得された分析情報が質問事項Ｑ１の回答である「男女グループ」に該当すると判断する。そして、制御部１１は、質問事項Ｑ１の回答の初期値として「男女グループ」を入力した上で、カラオケの参加者に関するアンケートを実施する。
【００３４】
参加者に対する提示例１として、図４（ｂ）に示す方法が挙げられる。つまり、各質問事項のうち質問事項Ｑ１については、分析情報から得られた回答である「男女グループ」のチェックボックスに予めチェックを入れた状態にして、参加者に提示する。ただし、質問事項Ｑ１のように回答の初期値が予め入力されている状態であっても、操作部１４やリモコン端末２０を介して参加者が自由に回答内容を修正できるものとする。一方、分析情報から回答を得ていないＱ２以降の質問事項については、回答として何も入力されていない状態で参加者に提示する。
【００３５】
あるいは、参加者に対する提示例２として、図４（ｃ）に示す方法が挙げられる。つまり、各質問事項のうち質問事項Ｑ１については、分析情報から回答を取得済みであるため、参加者に対する提示を行わない。そして、分析情報から回答を得ていないＱ２以降の質問事項から参加者に提示する。この場合、質問事項Ｑ１のように参加者に対して提示しなかった質問事項については、分析情報から得られた回答をそのまま適用する。
【００３６】
図２のフローチャートの説明に戻る。Ｓ１０６では、制御部１１は、カラオケの歌唱を始める前の段階における参加者のカラオケ曲に対する興味に関するアンケートを実施する。ここでは、参加者のカラオケ曲に対する興味に関係する複数の質問事項を提示して、それらの質問事項に対する回答を求める。具体的には、制御部１１は、例えば、カラオケ装置１０に接続されたディスプレイ１６やリモコン端末２０にアンケートの質問事項を表示させる。そして、操作部１４やリモコン端末２０を介して、アンケートに対する回答の入力操作を受付ける。
【００３７】
Ｓ１０８では、制御部１１は、リモコン端末２０を介して参加者から楽曲のリクエストを受付け、受付けたリクエスト曲を予約リストに登録する。Ｓ１１０では、制御部１１は、予約リストに登録されたリクエスト曲を順次演奏する。また、制御部１１は、マイク１７から入力された歌唱音声を所定の評価基準に基づいて評価し、歌唱の採点結果を算出する。
【００３８】
Ｓ１１２では、制御部１１は、Ｓ１１０の演奏処理において算出された歌唱の採点結果に基づいて、歌唱した参加者の観点における楽曲の難易度を表す採点情報を取得する。楽曲の難易度を表す採点情報は、例えば、参加者の歌唱の採点結果の点数を段階的に分類して、点数が高いほど難易度が低く、点数が低いほど難易度が高いと判定した情報である。Ｓ１１４では、制御部１１は、参加者が歌唱した楽曲の感想に関するアンケートとして用意された複数の質問事項について、Ｓ１１２で取得された分析情報を該当する質問事項の回答の初期値として入力する。
【００３９】
Ｓ１１６では、制御部１１は、Ｓ１１４で入力された回答の初期値を前提として、参加者が歌唱した楽曲の感想に関するアンケートを実施する。ここでは、参加者が歌唱した楽曲の感想に関する複数の質問事項（例えば、難易度や好感度）を提示して、それらの質問事項に対する回答を求める。具体的には、制御部１１は、例えば、カラオケ装置１０に接続されたディスプレイ１６やリモコン端末２０にアンケートの質問事項を表示させる。そして、操作部１４やリモコン端末２０を介して、アンケートに対する回答の入力操作を受付ける。
【００４０】
参加者が歌唱した楽曲の感想に関するアンケートの具体例について、図５を参照しながら説明する。図５（ａ）に例示されるとおり、参加者が歌唱した楽曲の感想に関するアンケートとして、複数の質問事項Ｑ１，Ｑ２，Ｑ３…が用意されているものとする。それらの質問事項のうち、質問事項Ｑ１は、参加者の観点による難易度を問うものである（この曲の歌いやすさは？）。この質問事項Ｑ１には、回答の候補として「簡単」、「普通」、「難しい」といった選択肢が設定されている。
【００４１】
ここで、参加者の歌唱の採点結果から、この楽曲の難易度が「簡単」であったとの採点情報が得られた状況を想定する。この場合、制御部１１は、その取得された採点情報が質問事項Ｑ１の回答である「簡単」に該当すると判断する。そして、制御部１１は、質問事項Ｑ１の回答の初期値として「簡単」を入力した上で、参加者が歌唱した楽曲の感想に関するアンケートを実施する。
【００４２】
参加者に対する提示例１として、図５（ｂ）に示す方法が挙げられる。つまり、各質問事項のうち質問事項Ｑ１については、採点情報から得られた回答である「簡単」のチェックボックスに予めチェックを入れた状態にして、参加者に提示する。ただし、質問事項Ｑ１のように回答の初期値が予め入力されている状態であっても、操作部１４やリモコン端末２０を介して参加者が自由に回答内容を修正できるものとする。一方、分析情報から回答を得ていないＱ２以降の質問事項については、回答として何も入力されていない状態で参加者に提示する。
【００４３】
あるいは、参加者に対する提示例２として、図５（ｃ）に示す方法が挙げられる。つまり、各質問事項のうち質問事項Ｑ１については、採点情報から回答を取得済みであるため、参加者に対する提示を行わない。そして、採点情報から回答を得ていないＱ２以降の質問事項から参加者に提示する。この場合、質問事項Ｑ１のように参加者に対して提示しなかった質問事項については、採点情報から得られた回答をそのまま採用する。
【００４４】
Ｓ１１８では、制御部１１は、Ｓ１０２，Ｓ１０４，Ｓ１０６，Ｓ１１４，Ｓ１１６それぞれにおいて入力されたアンケートの回答を表すアンケート情報を、管理サーバ３０にアップロードする。ここでアップロードされるアンケート情報には、参加者からの入力操作によって得られた回答のみならず、撮像画像及び歌唱の採点結果から抽出された回答も含まれる。Ｓ１１８の後、制御部１１はＳ１０６に戻る。
【００４５】
［管理サーバ処理の説明］
管理サーバ３０が実行する処理の手順について、図３のフローチャートを参照しながら説明する。この処理は、管理サーバ３０の稼働中において所定の制御周期で繰返し実行される。
【００４６】
Ｓ２００では、管理サーバ３０は、カラオケ装置１０からアンケート情報がアップロードされたか否かを判定する。ここでアップロードされるアンケート情報は、上述のカラオケ装置処理のＳ１１８（図２参照）において送信される情報である。アンケート情報がアップロードされた場合（Ｓ２００：ＹＥＳ）、管理サーバ３０はＳ２０２に進む。一方、アンケート情報がアップロードされなかった場合（Ｓ２００：ＮＯ）、制御部１１はＳ２００を繰返す。Ｓ２０２では、管理サーバ３０は、カラオケ装置１０から受信したアンケート情報の内容をアンケートデータベース３１に登録する。Ｓ２０２の後、管理サーバ３０はＳ２００に戻る。
【００４７】
［効果］
実施形態のカラオケシステム１によれば、次の効果を奏する。
参加者を撮像した画像から得られた分析情報に基づいてアンケートの事前に質問事項の回答を抽出し、抽出された回答を前提としてカラオケの参加者に関するアンケートを実施できる。また、楽曲の演奏後において、参加者の歌唱の評価結果に基づいてアンケートの事前に質問事項の回答を抽出し、抽出された回答を前提として参加者が歌唱した楽曲の感想に関するアンケートを実施できる。
【００４８】
このようにすることで、撮像画像や歌唱の評価結果から予め抽出された質問事項の回答については、参加者自らがアンケートにおいて回答を入力する手間を省くことができる。これにより、演奏前、演奏後の複数回にわたるアンケートにおいて、参加者がアンケートに回答する際の煩わしさを低減できるので、参加者が積極的にアンケートに協力してくれることが期待できる。よって、カラオケサービスに関するマーケティングに有用な情報を効率よく収集できる。
【００４９】
撮像画像や歌唱の評価結果から回答が抽出された質問事項ついては、得られた回答を初期値として表記した状態で参加者に提示することで、参加者自らがアンケートにおいて回答を入力する手間を省きつつ、抽出された回答の内容を参加者が確認することができる。あるいは、撮像画像や歌唱の評価結果から回答が抽出された質問事項ついては参加者に提示しないようにすることで、参加者がアンケートに回答する際の煩わしさを大幅に低減できる。
【００５０】
［特許請求の範囲に記載の構成との対応］
実施形態の各構成と、特許請求の範囲に記載の構成との対応は次のとおりである。
制御部１１及び図２のＳ１００が、分析情報取得手段に相当する。制御部１１及び図２のＳ１０２が、抽出手段に相当する。制御部１１及び図２のＳ１０４がアンケート手段に相当する。制御部１１及び図２のＳ１１８が回答取得手段に相当する。制御部１１及び図２のＳ１１２，Ｓ１１４が、第２の抽出手段に相当する。制御部１１及び図２のＳ１１６が、第２のアンケート手段に相当する。
【符号の説明】
【００５１】
１…カラオケシステム、１０…カラオケ装置、１１…制御部、１２…通信インタフェース部、１３…記憶部、１４…操作部、１５…音声入出力部、１６…ディスプレイ、１７…マイク、１８…スピーカ、１９…カメラ、２０…リモコン端末、３０…管理サーバ、３１…アンケートデータベース、４０…無線ＬＡＮアクセスポイント、５０…ＬＡＮ。
【図１】
0006406059.tif 000002
【図２】
0006406059.tif 000003
【図３】
0006406059.tif 000004
【図４】
0006406059.tif 000005
【図５】
0006406059.tif 000006